(57)【要約】本発明は、作動部（１）、基部（２）と末端部（３）があるシャンクを備える型の歯科用切削バーであって、基部は慣性が可変のフライホイール（４）を備えることを特徴とする切削バーに関する。【選択図】図２
2010507427.tif 000002
【特許請求の範囲】
【請求項１】
作動部（１）、基部（２）と末端部（３）があるシャンクを備える型の歯科用切削バーであって、基部は慣性が可変のフライホイール（４）を備えることを特徴とする切削バー。
【請求項２】
フライホイール（４）は、作動部（１）側により小さな直径およびシャンクの末端部（３）側により大きな直径を備えることを特徴とする、請求項１に記載の切削バー。
【請求項３】
フライホイールのカバー（７）は、円錐回転面であることを特徴とする、請求項１または２に記載の切削バー。
【請求項４】
カバー（７）は、環状ベアリングによって構成されることを特徴とする、請求項１または２に記載の切削バー。
【発明の詳細な説明】
【技術分野】
【０００１】
本発明は、特に歯科用の切削バーの分野に関するものである。
【０００２】
本発明は、歯内療法学、インプラント学などの歯科の用途で特に利点がある。
【背景技術】
【０００３】
特に歯科技術で使用される切削バーは、極めて様々な形状およびサイズを呈し、また、異なる速度で使用される。
【０００４】
切削バーの作業効率を向上させるため、特に、切削バーが切るべき物質と接触したとき、各歯を原因とする不規則な動きを制限することが研究されてきた。
【０００５】
滑らかな回転運動を得るため、タービン付きハンドピース（一般的にいわゆるタービン）に、例えば慣性フライホイールを加えることによるロータの変更、あるいはまた、とりわけより大きな出力、したがって、微小な振動が生じにくい運動を得ることを可能にする羽根車の形状の変更が導入された。
【０００６】
これらの解決法が改良をもたらすことは疑いないが、しかしながら、それらの解決法はタービンに適用されるものであって、したがって、使用する切削バーや前記切削バーで行われる作業に関係なく適用されてしまうものである。さらに、高速切削バーは、また、切削バーの回転速度を作業中のタービンの回転速度に接近させる機械的伝動装置を備えるコントラアングルで使用され、したがって、この場合、モータの出力が伝達されるので、より大きな出力がかけられる。しかし、現在のところ、加工衝撃作用に対抗する手段は存在しない。
【発明の概要】
【発明が解決しようとする課題】
【０００７】
本発明の目的は、回転装置の慣性が切削バーにも、切削バーが用いられる作業の種類にも適するように、歯科用慣性加減切削バーを考案することである。
【０００８】
本発明のもう一つの目的は、挿入が容易かつ安全化されており、切削バーのスリーブの近接部分で施術者の手袋をした指が滑ることを防ぐ切削バーを考案することである。
【課題を解決するための手段】
【０００９】
これらの目的は、作動部および、基部と末端部とを有するシャンクを備える型の歯科用切削バーであって、基部が慣性可変のフライホイールを備えることを特徴とする切削バーから成る本発明によって達成される。
【００１０】
本発明は、添付図面を参照して行う、下記の説明からより明らかになろう。
【図面の簡単な説明】
【００１１】
【図１】従来の歯科用切削バーの概略図である。
【図２】本発明による歯科用切削バーの概略図である。
【図３】コントラアングルヘッドまたはタービンヘッドに嵌め込まれた、本発明による歯科用切削バーを示す。
【発明を実施するための形態】
【００１２】
図１を参照すると、歯科用切削バーは、一般的に、作動部（ａ）と二つの部分に分けることができるスリーブまたはシャンクによって構成されており、該二つの部分とは、一つはタービン付きハンドピースまたはコントラアングルハンドピースのヘッドの外側にあるように設けられる基部（ｂ）であり、もう一つはハンドピース、タービンまたはコントラアングルに入るように設けられる末端部（ｃ）である。前記部分（ｃ）は、一般的に、低速または高速コントラアングルで使用される切削バーであることに応じた現行のＩＳＯ規格に順じて決定される。
【００１３】
図２は、作動部（１）、ハンドピースへの挿入のための末端部（３）、および作動部（１）のサイズおよび／または実施すべき作業に応じてフライホイールを調節することができる慣性が可変のフライホイール（４）を備える基部（２）から成る、本発明による切削バーを図示している。
【００１４】
好ましくは、図面に示したように、慣性が可変のフライホイール（４）は、作動部（１）の側に位置するより小さい直径（５）とシャンクの末端部（３）の側のより大きな直径（６）を呈する。
【００１５】
より大きな直径の底部（６）は、好ましくは、前記末端部（３）に極めて近接した位置に配置されており、施術者の目に見える目印の役を果たし、それによって、切削バーがハンドピースの締め付け装置に正確に且つちょうど良い深さにはめ込まれていることが確かめられる。
【００１６】
フライホイールのカバー（７）は、好ましくは、円錐回転面であり、歯科医学の作業中に切削バーが受ける不規則な動きに対抗して、回転運動を滑らかにする機能を備える。
【００１７】
カバー（７）は、また、個々が結合していない直径が異なる複数の環状ベアリングを一連にして構成することもできる（この例は図示していない）。
【００１８】
実施例として、約３ｍｍおよび質量が０．２５ｇの慣性フライホイールによって、条件を満たす結果が得られる。
【００１９】
切削バーを、例えば、スプレーによる散水装置とともに使用するとき、慣性フライホイールの存在によって、遠心力の効果から、散水用液体および場合によっては生理的な液体を外部に押し出して、そのようにして、タービン、ハンドピース、またはコントラアングルのヘッドにそれら液体が浸入することを防ぐことができる。この効果は、慣性フライホイールの直径が、適切に、ハンドピース側よりも切削バー側で小さい形状になっていればより高められる。
【００２０】
フライホイールの別の機能は、施術者の手袋をした指を止めて、指が切削バーの方へ滑るのを防ぐことである（図３参照）。
【００２１】
フライホイールのまた別の機能は、高速で使用される切削バーで生じることがある鞭打ち現象に対抗して、切削バーのシャンクの構造支持を構成することである。
【００２２】
フライホイールのまた別の機能は、作業中の唾液および他の液体の噴出に対するハンドピースの保護を構成することである。
【００２３】
フライホイールに色を付けると、また、一般的に歯科医に使用される特殊な支持台に配置された各切削バーの視覚的識別機能を果たすことができる。
【符号の説明】
【００２４】
１  作動部
２  基部
３  末端部
４  フライホイール
７  カバー
【図１】
2010507427.tif 000003
【図２】
2010507427.tif 000004
【図３】
2010507427.tif 000005
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
作動部（１）、基部（２）と末端部（３）があるシャンクを備える型の歯科用切削バーであって、施術者により使用中である切削バーの回転運動を滑らかにするために、基部は慣性が可変のフライホイール（４）を備えることを特徴とする切削バー。
【請求項２】
フライホイール（４）は、作動部（１）側により小さな直径およびシャンクの末端部（３）側により大きな直径を備えることを特徴とする、請求項１に記載の切削バー。
【請求項３】
フライホイールのカバー（７）は、円錐回転面であることを特徴とする、請求項１または２に記載の切削バー。
【請求項４】
カバー（７）は、個々が結合していない直径が異なる複数の環状ベアリングを一連にして構成されることを特徴とする、請求項１または２に記載の切削バー。
【国際調査報告】
2010507427.tif 000006
2010507427.tif 000007
2010507427.tif 000008
2010507427.tif 000009
2010507427.tif 000010
2010507427.tif 000011